(57)【要約】      （修正有）【課題】すすぎ時のきしみ感の大幅な低減化、優れた耐硬水性を有する低刺激性の液体洗浄剤組成物の提供。【解決手段】（Ａ）特定比率の脂肪酸石鹸混合物と、（Ｂ）式（１）で示されるベタイン構造を有する両性又は双性界面活性剤と（Ｃ）アシルβアラニン型アニオン界面活性剤と、を必須成分とし、成分Ｂと成分Ｃの配合重量比率が１：２〜２：１、かつ成分Ｂと成分Ｃの混合配合量が２．０〜１０．０重量％の範囲内にある液体洗浄剤組成物。2017110086.tif 000010［sは０又は１の整数；Ｒ１はsが１の時、Ｃ７〜２１の炭化水素鎖或いは、それらの混合物又はsが０の時、Ｃ８〜２２の炭化水素鎖或いはそれらの混合物；Ｒ２はＣ１〜３のアルキレン基、水酸基が結合されていても良い；Ｑ−は−ＣＯＯ−基又は−ＳＯ３−基］【選択図】なし【特許請求の範囲】
【請求項１】
（Ａ）特定比率の脂肪酸石鹸混合物と
（Ａ１）ラウリン酸塩      ０．５〜５．０重量％、
（Ａ２）ミリスチン酸塩    ３．０〜８．０重量％、
（Ａ３）パルミチン酸塩    ０．５〜３．０重量％
（Ｂ）一般式（１）で示される特定の両性又は双性界面活性剤と
【化１】
2017110086.tif 000008
［但し式中  sは０又は１の整数であり、
Ｒ１はsが１の時、炭素数７〜２１の炭化水素鎖を示し、それらの混合物でも良く、
Ｒ１はsが０の時、炭素数８〜２２の炭化水素鎖を示し、それらの混合物でも良い。
Ｒ２は炭素数１〜３のアルキレン基であり、水酸基が結合されていても良い。
Ｑ−は−ＣＯＯ−基、乃至は−ＳＯ３−基を示す。］
（Ｃ）一般式（２）で示されるアシルβアラニン型アニオン界面活性剤
【化２】
2017110086.tif 000009
［但し式中  Ｒ３は炭素数７〜２１の炭化水素鎖を示し、それらの混合物でも良い。
Ｍ１はカルボキシル基の対イオンで、アルカリ金属、アルカノールアミン、塩基性アミノ酸を示す。］
を必須成分として含有し、成分Ｂと成分Ｃの配合重量比率が１：２〜２：１であり、かつ成分Ｂと成分Ｃの混合配合量が２．０〜１０．０重量％の範囲内にあることを特徴とする液体洗浄剤組成物。
【請求項２】
ヒドロキシアルキルセルロース型非イオン性高分子を含んでなる請求項１記載の液体洗浄剤組成物。
【発明の詳細な説明】
【技術分野】
【０００１】
本発明は、すすぎ時のきしみ感の大幅な低減化、優れた耐硬水性を有する低刺激性の液体洗浄剤組成物に関する。
【背景技術】
【０００２】
従来、泡立ちが良く、洗い上がりがさっぱりとする皮膚用の洗浄用界面活性剤として、高級脂肪酸塩が広く用いられている。しかしながら、高級脂肪酸塩は洗浄中に水道水中のカルシウムイオン等の２価金属イオンと結合し金属塩（スカム）を生じる性質があり、これが皮膚に付着する。
このため、特に長鎖脂肪酸塩を用いた場合には、すすぎ時のきしみ感や洗いあがりのつっぱり感、また硬水中で用いた場合、起泡力が低下する、更に脂肪酸塩を中心基剤とする液体製剤においては、低温時における脂肪酸の析出が問題であった。
これらの安定性やスカムの発生を抑える目的で耐硬水性のある両性界面活性剤等を脂肪酸塩と同時に配合する技術が開示されている（特許文献１〜３）。
【０００３】
しかしながら、安定性やスカム発生抑制に十分な量の両性界面活性剤を配合するとヌルつくような感触の悪化が発生するなどして好ましくない。
一方、脂肪酸塩のアシル鎖長の分布は、製品の安定性、使用感に大きな影響を与えるものである。
通常脂肪酸石鹸を主成分とする皮膚洗浄料においては、皮膚刺激性を低減し、かつ高温での保存安定性を確保するために、脂肪酸鎖長の長い脂肪酸石鹸、特にミリスチン酸石鹸，パルミチン酸石鹸などの高級脂肪酸石鹸を配合している。
【０００４】
これらの特定の脂肪酸塩組成物と先に述べた両性界面活性剤等を配合した技術も開示されている（特許文献４〜５）。また、脂肪酸塩に両性界面活性剤に加えてアミノ酸系界面活性剤を配合する技術も開示されている（特許文献６〜７）。
【先行技術文献】
【特許文献】
【０００５】
【特許文献１】特開平０５−１１７６９７号公報
【特許文献２】特開平０３−１５３７９７号公報
【特許文献３】特開昭６１−１４３３４７号公報
【特許文献４】特開平０７−３０９７４２号公報
【特許文献５】特開２００５−２０６８１２号公報
【特許文献６】特開昭５５−１５１１００号公報
【特許文献７】特開２００６−１８３０３９号公報
【発明の概要】
【発明が解決しようとする課題】
【０００６】
しかしながら、これら従来の耐硬水性の改善と使用感の改善を同時に改善できておらず、すすぎ時のきしみ感の大幅な低減化、優れた耐硬水性を同時に満たす、アシル鎖長１４以上の脂肪酸塩を主剤として含有する液体洗浄剤組成物は得られていない。
即ち、現在に至るまで充分満足できる高級脂肪酸塩を含有する液体洗浄剤は開発されていない。
【課題を解決するための手段】
【０００７】
本発明者は、特定比率の脂肪酸塩混合物に対して、特定の両性又は双性界面活性剤と特定のアシルβアラニン塩を配合することにより、これらの問題点が解決いることを見出し本発明を完成した。
【０００８】
即ち、本発明は、
（Ａ）特定比率の脂肪酸石鹸混合物と
（Ａ１）ラウリン酸塩      ０．５〜５．０重量％、
（Ａ２）ミリスチン酸塩    ３．０〜８．０重量％、
（Ａ３）パルミチン酸塩    ０．５〜３．０重量％
（Ｂ）一般式（１）で示される特定の両性又は双性界面活性剤と
【化１】
2017110086.tif 000002
［但し式中  sは０又は１の整数であり、
Ｒ１はsが１の時、炭素数７〜２１の炭化水素鎖を示し、それらの混合物でも良く、
Ｒ１はsが０の時、炭素数８〜２２の炭化水素鎖を示し、それらの混合物でも良い。
Ｒ２は炭素数１〜３のアルキレン基であり、水酸基が結合されていても良い。
Ｑ−は−ＣＯＯ−基、乃至は−ＳＯ３−基を示す。］
（Ｃ）一般式（２）で示されるアシルβアラニン型アニオン界面活性剤
【化２】
2017110086.tif 000003
［但し式中  Ｒ３は炭素数７〜２１の炭化水素鎖を示し、それらの混合物でも良い。
Ｍ１はカルボキシル基の対イオンで、アルカリ金属、アルカノールアミン、塩基性アミノ酸を示す。］
を必須成分として含有し、
成分Ｂと成分Ｃの配合重量比率が１：２〜２：１であり、かつ
成分Ｂと成分Ｃの混合配合量が２．０〜１０．０重量％の範囲内にあることを特徴とする液体洗浄剤組成物に関するものである。
好適には、添加成分としてヒドロキシアルキルセルロース型非イオン性高分子を含むことがより好ましい。
【発明の効果】
【０００９】
本発明により、すすぎ時のきしみ感の大幅な低減化、優れた耐硬水性を有する低刺激性の液体洗浄剤組成物を提供することができる。
【発明を実施するための形態】
【００１０】
以下、本発明の実施形態について説明する。
本発明の液体洗浄剤組成物のＡ成分は特定のアシル組成比率を有する脂肪酸塩混合物である。
本発明における脂肪酸塩のアシル組成比は、本発明液体洗浄剤組成物に対して、
（Ａ１）ラウリン酸塩      ０．５〜５．０重量％、
（Ａ２）ミリスチン酸塩    ３．０〜８．０重量％、
（Ａ３）パルミチン酸塩    ０．５〜３．０重量％
の範囲内で配合される。従って全組成物中の４．０〜１６．０重量％が脂肪酸塩組成物で締めることになる。
【００１１】
各脂肪酸塩の対イオンに関しては、各々独立にナトリウム、カリウムのアルカリ金属、トリエタノールアミン等のアルカノールアミン類、又は、アルギニン、リジン等の塩基性アミノ酸より選択される。より好ましくは、ナトリウム、カリウムのアルカリ金属である。
【００１２】
ラウリン酸塩の配合量は０．５〜５．０重量％に制限される。ラウリン酸塩の配合量が０．５重量％を下回る配合量では、初期起泡力が劣る等の不都合が発生し好ましくない。また、５．０重量％を超えて配合された場合はすすぎ時のきしみ感が強くなる等の不都合が起こり好ましくない。
ミリスチン酸塩の配合量は３．０〜８．０重量％に制限される。ミリスチン酸塩の配合量が３．０重量％を下回る配合量では、泡量が不十分等の不都合が発生し好ましくない。また、８．０重量％を超えて配合された場合はすすぎ時のきしみ感が強くなる等の不都合が起こり好ましくない。
パルミチン酸塩の配合量は０．５〜３．０重量％に制限される。パルミチン酸塩の配合量が０．５重量％を下回る配合量では、泡質改善効果が劣る等の不都合が発生し好ましくない。また、３．０重量％を超えて配合された場合は泡立ちが遅くなる等の不都合が起こり好ましくない。
【００１３】
本発明の液体洗浄剤組成物のＢ成分は、一般式（１）で示される特定の両性又は双性界面活性剤である。
【化３】
2017110086.tif 000004
［但し式中  sは０又は１の整数であり、
Ｒ１はsが１の時、炭素数７〜２１の炭化水素鎖を示し、それらの混合物でも良く、
Ｒ１はsが０の時、炭素数８〜２２の炭化水素鎖を示し、それらの混合物でも良い。
Ｒ２は炭素数１〜３のアルキレン基であり、水酸基が結合されていても良い。
Ｑ−は−ＣＯＯ−基、乃至は−ＳＯ３−基を示す。］
【００１４】
本発明の特定の両性／双性界面活性剤はベタイン構造を有する両性／双性界面活性剤でなければならない。
市場でその他よく使用される両性界面活性剤としてアミドアミン型両性界面活性剤（例えばソフタゾリンＣＨ，ソフタゾリンＣＬ：川研ファインケミカル社製）は本発明の効果を発現しないことを実験的に確認している。
【００１５】
一般式（１）で示される両性又は双性界面活性剤としては、ラウリン酸アミドプロピル酢酸ベタイン、ミリスチン酸アミドプロピル酢酸ベタイン、ヤシ脂肪酸アミドプロピル酢酸ベタイン、パーム核油脂肪酸アミドプロピル酢酸ベタイン、ラウリン酸アミドヒドロキシプロピルスルホベタイン、ミリスチン酸アミドヒドロキシプロピルスルホベタイン、ヤシ脂肪酸アミドヒドロキシプロピルスルホベタイン、パーム核油脂肪酸アミドヒドロキシプロピルスルホ酢酸ベタインが挙げられる
【００１６】
本発明Ｃ成分である一般式（２）で示されるアシルβアラニン型アニオン界面活性剤に関して述べる。
【化４】
2017110086.tif 000005
［但し式中  Ｒ３は炭素数７〜２１の炭化水素鎖を示し、それらの混合物でも良い。
Ｍ１はカルボキシル基の対イオンで、アルカリ金属、アルカノールアミン、塩基性アミノ酸を示す。］
【００１７】
一般式（２）で示されるアシルβアラニン型アニオン界面活性剤としては、Ｎ−メチル−ラウロイル−β−アラニンナトリウム塩、Ｎ−メチル−ラウロイル−β−アラニンナカリウム塩、Ｎ−メチル−ラウロイル−β−アラニントリエタノールアミン塩、Ｎ−メチル−ヤシ脂肪酸−β−アラニンナトリウム塩、Ｎ−メチル−ヤシ脂肪酸−β−アラニンカリウム塩、Ｎ−メチル−ヤシ脂肪酸−β−アラニントリエタノールアミン塩等が挙げられ、これらの混合物でも使用できる。
【００１８】
成分Ｂの一般式（１）で示される特定の両性又は双性界面活性剤と成分Ｃの一般式（２）で示されるアシルβアラニン型アニオン界面活性剤を配合重量比率が１：２〜２：１の特定の範囲で且つ、成分Ｂの一般式（１）で示される特定の両性又は双性界面活性剤と成分Ｃの一般式（２）で示されるアシルβアラニン型アニオン界面活性剤の両者の合計配合量が全組成物に対して２．０〜１０．０重量％の範囲内にあることにより本発明の効果が発現する。
【００１９】
Ｂ成分の配合比率がＢ成分とＣ成分配合比率１：２より小さい場合、対硬水性が不足する等の不都合があり、２：１より大きい場合、使用感が劣化し好ましくない。
Ｂ成分とＣ成分の合計配合量は、全組成物に対して２．０〜１０．０重量％の範囲である。この時Ｂ成分とＣ成分の合計配合量が全組成物に対して２．０重量％を下回ると、対硬水性が不足する等の不都合があり、全組成部に対して１０．０重量％より大きい場合、使用感が劣化し好ましくない。
【００２０】
本発明の液体洗浄剤組成物のＤ成分であるヒドロキシアルキルセルロース型非イオン性高分子に関して述べる。
Ｄ成分を配合することにより、液体洗浄剤の粘度構築が容易になり、泡質がよりクリーミーになり、洗浄後の肌のツッパリ感がより低減化されるため、本発明の液体洗浄剤組成物にヒドロキシアルキルセルロース型非イオン性高分子を０．０５〜０．５質量％配合することが好ましい。
ヒドロキシアルキルセルロース型非イオン性高分子の配合量が０．０５重量％を下回って配合された場合は、その効果が官能的にとらえられず、０．５重量％を超えて配合された場合は、使用時に泡立ちが遅くなる等の不都合が発生するため好ましくない。
【００２１】
市場に流通するヒドロキシアルキルセルロース型非イオン性高分子としては、ヒドロキシメチルセルロース、ヒドロキシエチルセルロース、ヒドロキシプロピルセルロース、ヒドロキシプロピルメチルセルロース等が挙げられる。増粘性や溶解性及びつっぱり感の低減の点でヒドロキシアルキルセルロース型非イオン性高分子としてはヒドロキシプロピルメチルセルロースを選択することがより好ましい。
【００２２】
更に本発明の液体洗浄剤組成物には、必要に応じて、かつ本発明の効果を損なわない範囲において、通常化粧品や医薬品等の皮膚外用剤に用いられる成分、例えば、抗老化薬剤、抗炎症剤、抗アンドロゲン剤、育毛剤、保湿剤、酸化防止剤、油性成分、紫外線吸収剤、界面活性剤、増粘剤、防腐剤、アルコール類、ｐＨ調整剤、乳化剤、粉末成分、色材、水性成分、水、各種毛髪栄養剤、香料、清涼剤、生薬抽出物やビタミン類等を適宜配合することができる。
【００２３】
配合できる成分の具体例を示せば、エデト酸二ナトリウム、エデト酸三ナトリウム、クエン酸ナトリウム、ポリリン酸ナトリウム、メタリン酸ナトリウム、グルコン酸等の金属封鎖剤、カフェイン、タンニン、ベラパミル、トラネキサム酸及びその誘導体、各種生薬、酢酸トコフェロール、グリチルリチン酸及びその誘導体又はその塩、グリチルレチン酸誘導体、サリチル酸誘導体、リゾフォスファチジルコリンやリゾフォスファチジン酸、大豆調製物等のラミニン５産生促進剤、グルコース、フルクトース、マンノース、ショ糖、トレハロース等の糖類、アルブチン、コウジ酸等の美白剤、ノニル酸ワレニルアミド、ニコチン酸ベンジルエステル、ニコチン酸β−ブトキシエチルエステル、カプサイシン、ジンゲロン、カンタリスチンキ、イクタモール、カフェイン、タンニン酸、α−ボルネオール、ニコチン酸トコフェロール、イノシトールヘキサニコチネート、シクランデレート、シンナリジン、トラゾリン、アセチルコリン、ベラパルミ、セファランチン、γ−オリザノール等の血行促進剤、硫黄、チアントール等の抗脂漏剤。
【００２４】
あるいは、多様な目的から、ヒノキチオール、酸化亜鉛、アラントイン、アロエベラエキス、オウゴン根エキス、オタネニンジンエキス、カキタンニンエキス、カニナバラエキス、カミツレ花エキス、セイヨウオドリギソウエキス、センチフォリアバラエキス、チャ葉エキス、トウセンカエキス、ハマメリスエキス、フユボダイジュエキス、マグワエキス、ヤグルマギクエキス、ユズエキス、ローマカミツレエキス、ローヤルゼリーエキス、ウコン抽出物、ブナの芽抽出物、加水分解カゼイン、米抽出物加水分解液、米ぬか抽出物、トウニン抽出物、クララ抽出物、チオタウリン、ヒポタウリン、マジョラム抽出物、シリカ被覆酸化亜鉛、イチヤクソウ抽出物、キシリトール、アルギニン及びその塩酸塩、セリン、オウバク抽出成分、オウレン抽出成分、カッコン抽出成分、シコン抽出成分、シャクヤク抽出成分、センブリ抽出成分、バーチ抽出成分、セージ抽出成分、ビワ抽出成分、ニンジン抽出成分、アロエ抽出成分、ゼニアオイ抽出成分、アイリス抽出成分、ブドウ抽出成分、ヨクイニン抽出成分、ヘチマ抽出成分、ユリ抽出成分、サフラン抽出成分、センキュウ抽出成分、ショウキョウ抽出成分、オトギリソウ抽出成分、ローズマリー抽出成分、ニンニク抽出成分、トウガラシ抽出成分、トウガラシ抽出成分、ワレモコウ抽出成分、チンピ、トウキ等、レチノール、酢酸レチノール等のビタミンＡ類、リボフラビン、酪酸リボフラビン、フラビンアデニンヌクレオチド等のビタミンＢ2類、ピリドキシン塩酸塩、ピリドキシンジオクタノエート等のビタミンＢ6類、Ｌ−アスコルビン酸、Ｌ−アスコルビン酸時パルミチン酸エステル、Ｌ−アスコルビン酸−２−硫酸ナトリウム、Ｌ−アスコルビン酸リン酸エステル、ＤＬ−α−トコフェロール−Ｌ−アスコルビン酸リン酸ジエステルジカリウム等のビタミンＣ類、パントテン酸カルシウム、Ｄ−パントテニルアルコール、パントテニルエチルエーテル、アセチルパントテニルエチルエーテル等のパントテン酸類、エルゴカルシフェロール、コレカルシフェロール等のビタミンＤ類、ニコチン酸、ニコチン酸アミド、ニコチン酸ベンジル等のニコチン酸類、α−トコフェロール、酢酸トコフェロール、ニコチン酸ＤＬ−α−トコフェロール、コハク酸ＤＬ−α−トコフェロール等のビタミンＥ類、ビタミンＰ、ビオチン等のビタミン類なども適宜配合することができる。
【実施例】
【００２５】
本発明の効果に関して以下の実施例によりさらに詳細に説明する。
表１、２記載の配合比率に従ってサンプルを調整した。
調製した液体洗浄剤組成物は下記各種測定法により、性能評価した。
【００２６】
（１）つっぱり感緩和効果の評価
男女パネラー計１０名に各実施例及び各比較例をブラインドにて手洗い評価させ、すすぎ時のつっぱり感のなさを評価した。つっぱり感が感じられなかった場合を4点、つっぱり感がほとんど感じられた場合を3点、つっぱり感が感じられた場合を2点、つっぱり感が非常に感じられた場合を１点とし、１０名の平均点を算出した
【００２７】
（２）カルシウム石鹸分散能評価
０．３%オレイン酸ナトリウム５ｍｌを共栓付の試験管に採取する。活性剤濃度０．２５％に希釈したサンプル溶液を５ｇと硬水（３００ｐｐｍ）１０ｍｌを加えた後、蒸留水で全量を３０ｇにする。栓をして２０回逆立ちさせて振り混ぜて、試験管中の溶液を確認する。試験管中の脂肪酸塩の塊が試験管全体に均一に分散するまで０．２５％サンプル溶液を加えたときのカルシウム分散能を算出した。ＬＳＤＰが低いほどカルシウム分散能が良い。
カルシウム石鹸分散能（ＬＳＤＰ、％）＝ａｍｌ×０．００２５／０．０２５×１００
ａｍｌ：沈殿の生じなくなるまでに加えたサンプルの容量（ｍｌ）
【００２８】
（３）硬水中での泡立ちの評価
硬度３００ｐｐｍ（ＣａＣＯ３）の水で各実施例及び比較例を界面活性剤濃度０．２ｗｔ％に希釈し４０℃に温めた試料を１Ｌトールビーカーに２００ｍＬいれる。
回転速度１，１００ｒｐｍで２０秒回転させ３回反転させる。その後泡量をトールビーカーの目盛りを読み取った。
【００２９】
【表１】
2017110086.tif 000006
※１   川研ファインケミカル社製；ソフタゾリンLPB
※２   川研ファインケミカル社製；ソフタゾリンLDB
※３   川研ファインケミカル社製；アラノンALE
【００３０】
【表２】
2017110086.tif 000007
※４   川研ファインケミカル社製；ソフタゾリンCH
※５   旭化成社製；アミノサーファクトACDS-L
【００３１】
表１の性能評価に関して、本発明液体洗浄剤組成物の範囲内で調製された実施例１〜１５は、目的とする「すすぎ時のきしみ感の低減」であることは官能評価のすすぎ時のつっぱり感緩和効果のスコアが比較的高い値でまとまっていることから実証できた。
また、カルシウム石鹸分散能の値が低いスコアでまとまっており、低刺激性に優れることがわかる。また、硬水中での起泡力が高いころから、硬水でも優れた性能を発揮できる処方となっており、本発明の解決課題をすべて満たしていることがわかる。
【００３２】
一方、比較例１は実施例１に対してＮ−アシル−Ｎ−メチル−β−アラニン塩を配合しなかった場合であるが、この場合すすぎ時のつっぱり感が強く、カルシウム石鹸分散も良くない結果となった。
比較例２は実施例１に対して、ラウリン酸アミドプロピル酢酸ベタインを配合しなかった例であるが、硬水中での起泡力に不満が残る結果となった。
比較例３は、実施例１の処方中の両性界面活性剤にイミダゾリン型両性界面活性剤を配合された例であるが、カルシウム石鹸分散能が悪い結果となった．
比較例４は本発明とは異なるアニオン性界面活性剤を配合した場合であるが、硬水中の起泡力に不満があった。
比較例５〜７は特定の両性又は双性界面活性剤とアニオン性界面活性剤が範囲外になった物であるが、カルシウム石鹸分散能や硬水中での起泡力が悪いなど、性能に不満が残るものであった。
比較例８〜１０は中性無機塩が範囲外になった物であるが、起泡力やすすぎ時の感触など洗浄剤としての性能が悪かった。
【００３３】
以上のように本発明は、きわめて限定された範囲内ではあるが、解決の課題としていた「すすぎ時のきしみ感の大幅な低減化、優れた耐硬水性を同時に満たす、アシル鎖長１４以上の脂肪酸塩を主剤として含有する液体洗浄剤組成物」を充分に実現させていることが判明した。
【００３４】
更に本発明の範囲内で以下の処方を作成した。いずれもすすぎ時のつっぱり感がなく、カルシウム石鹸分散能が良い上に硬水中でも十分に起泡力を発現できる液体洗浄剤組成物であった。
【００３５】
実施例１６
ラウリン酸Ｋ                            ２．０％
ミリスチン酸Ｋ                          ６．０％
パルミチン酸Ｋ                          １．０％
ラウラミドプロピルベタイン              ４．０％
ラウロイルメチルアラニンＮａ            ４．０％
ヒドロキシプロピルメチルセルロース      ０．５％
塩化Ｋ                                  ０．５％
水                                      バランス
【００３６】
実施例１７
ラウリン酸Ｋ                            ４．０％
ミリスチン酸Ｋ                          ８．０％
パルミチン酸Ｋ                          ２．０％
ラウラミドプロピルスルホベタイン        ５．０％
ラウロイルメチルアラニンＮａ            ３．０％
ヒドロキシプロピルメチルセルロース      ０．３％
塩化Ｋ                                  ０．５％
水                                      バランス
【産業上の利用可能性】
【００３７】
本発明により、すすぎ時のきしみ感の大幅な低減化、優れた耐硬水性を有する低刺激性の液体洗浄剤組成物を提供することができる。